【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
操作体の表示画面への近接を検出する検出部と、
前記検出部により検出された前記操作体が表示画面に含まれる選択項目に近接したか否かを判断する判断部と、
前記操作体が前記選択項目に近接したと前記判断部により判断された場合に、前記選択項目の選択項目内容を含む領域を、表示されていた表示領域に一時的に重ねて表示させる表示制御部と、
を備える、情報処理装置。
【請求項２】
前記表示制御部は、前記検出部により前記操作体の前記表示画面への近接が検出されなくなった場合に、前記選択項目の前記選択項目内容を含む領域の表示を終了させる、請求項１に記載の情報処理装置。
【請求項３】
前記検出部により検出された前記操作体が近接した表示画面の範囲を特定する特定部を備え、
前記判断部は、
前記特定部により特定された前記範囲に前記選択項目が含まれるか否かを判断する、請求項１または２のいずれかに記載の情報処理装置。
【請求項４】
前記検出部により前記操作体の表示画面への接触が検出された場合に、
前記表示制御部は、
表示されていた前記選択項目の前記選択項目内容を含む領域の表示を終了させる、請求項１〜３のいずれかに記載の情報処理装置。
【請求項５】
前記操作体が前記選択項目に近接したと前記判断部により判断された場合に、
前記表示制御部は、
前記選択項目の選択項目内容の拡大表示を含む領域を表示させる、請求項１〜３のいずれかに記載の情報処理装置。
【請求項６】
前記操作体が前記選択項目に近接したと前記判断部により判断された場合に、
前記表示制御部は、
前記選択項目の選択項目内容のプルダウン表示を含む領域を表示させる、請求項１〜３のいずれかに記載の情報処理装置。
【請求項７】
前記操作体が前記選択項目に近接したと前記判断部により判断された場合に、
前記表示制御部は、
前記選択項目の変換内容を含む領域を表示させる、請求項１〜３のいずれかに記載の情報処理装置。
【請求項８】
前記操作体が前記選択項目に近接したと前記判断部により判断された場合に、
前記表示制御部は、
前記選択項目の親階層または子階層の内容を含む領域を表示させる、請求項１〜３のいずれかに記載の情報処理装置。
【請求項９】
操作体の表示画面への近接を検出するステップと、
前記検出された前記操作体が表示画面に含まれる選択項目に近接したか否かを判断するステップと、
前記操作体が前記選択項目に近接したと判断された場合に、前記選択項目の選択項目内容を、表示されていた表示画面に重ねて表示させるステップと、
を含む、情報処理方法。
【請求項１０】
前記操作体の前記表示画面への近接が検出されなくなった場合に、前記選択項目の前記選択項目内容の表示を終了させるステップ、
をさらに含む、請求項９に記載の情報処理方法。
【請求項１１】
コンピュータを、
操作体の表示画面への近接を検出する検出部と、
前記検出部により検出された前記操作体が表示画面に含まれる選択項目に近接したか否かを判断する判断部と、
前記操作体が前記選択項目に近接したと前記判断部により判断された場合に、前記選択項目の選択項目内容を、表示されていた表示画面に重ねて表示させる表示制御部と、
を備える、情報処理装置として機能させる、プログラム。
【請求項１２】
前記表示制御部は、前記検出部により前記操作体の前記表示画面への近接が検出されなくなった場合に、前記選択項目の前記選択項目内容の表示を終了させる、請求項１１に記載のプログラム。
【手続補正２】
【補正対象書類名】明細書
【補正対象項目名】００２４
【補正方法】変更
【補正の内容】
【００２４】
そこで、上記のような事情を一着眼点として、本発明の実施形態にかかる情報処理装置１００が創作されるに至った。本実施形態にかかる情報処理装置１００によれば、タッチパネルの操作性を向上させつつ、画面の利用効率を向上させることが可能となる。例えば、図１に示したように、表示例３０１に表示されているキー表示から、一時的に選択項目３０２に表示されている選択項目を表示させる。すなわち、ユーザ操作に応じて、表示画面に表示されている表示内容とは異なる表示内容を含む表示領域が一時的に展開されることとなる。このように、表示領域を一時的に拡大させることにより、タッチパネルの操作性を向上させつつ、画面の利用効率を向上させることが可能となる。
【手続補正３】
【補正対象書類名】明細書
【補正対象項目名】００３０
【補正方法】変更
【補正の内容】
【００３０】
入力装置１０５は、例えば、マウス、キーボード、タッチスクリーン、ボタン、マイク、スイッチおよびレバーなどユーザが情報を入力するための入力手段と、ユーザによる入力に基づいて入力信号を生成し、ＣＰＵ１０１に出力する入力制御回路などから構成されている。情報処理装置１００のユーザは、入力装置１０５を操作することにより、情報処理装置１００に対して各種のデータを入力したり処理動作を指示したりすることができる。
【手続補正４】
【補正対象書類名】明細書
【補正対象項目名】００４０
【補正方法】変更
【補正の内容】
【００４０】
表示制御部１１８は、操作体が表示画面の選択項目に近接したと判断部１１６により判断された場合に、選択項目の選択項目内容を含む領域を、表示されていた表示領域に一時的に重ねて表示させる。そして、検出部１１２により操作体の表示画面への近接が検出されなくなった場合に、選択項目の選択項目内容を含む領域の表示を終了させる機能を有する。
【手続補正５】
【補正対象書類名】明細書
【補正対象項目名】００４２
【補正方法】変更
【補正の内容】
【００４２】
そして、特定部１１４により特定された範囲に選択項目が含まれるか否かが判断部１１６により判断される。図１では、特定部１１４により特定された範囲に選択項目３０２が含まれているため、表示制御部１１８は、該選択項目３０２の選択項目内容を含む領域を、表示されていた表示領域に一時的に重ねて表示させる。表示例３０３には、選択項目３０２の選択項目内容３０４を含む領域が表示画面に表示されている例を示している。
【手続補正６】
【補正対象書類名】明細書
【補正対象項目名】００４９
【補正方法】変更
【補正の内容】
【００４９】
また、図７に示したように、表示画面３４１の選択項目３４２に操作体が近接したと判断された場合に、選択項目３４２に関連する階層の選択項目内容を一時的に表示させるようにしてもよい。例えば表示画面３４１において、あるアルバムに含まれる楽曲の一覧が表示され、選択項目３４２には、アーティストの名前が表示されていたとする。アーティストの名前が表示されている選択項目３４２に操作体が近接すると、該アーティストの曲の一覧の表示画面３４３が一時的に表示される。操作体が表示画面に近接している間は、一時的に表示画面３４３が表示されるが、操作体が表示画面に近接しなくなると表示画面３４３の表示をすぐに終了して、もとの表示画面３４１の表示に戻る。また、一時的に表示画面３４３が表示されている間に、操作体の接触操作により何れかの楽曲が選択された場合にも、表示画面３４３の表示を終了するようにしてもよい。
【手続補正７】
【補正対象書類名】明細書
【補正対象項目名】００５３
【補正方法】変更
【補正の内容】
【００５３】
そして、ステップＳ１０４において、操作体が表示画面の一定範囲内にあり、かつ、一定時間経過したか否かを判定する（Ｓ１０４）。特定部１１４は、ステップＳ１０２において操作体が表示画面に近接していると判定された場合に、操作体が一定の範囲内に一定時間位置しているか否かを判定する。また、ステップＳ１０２において、操作体の近接が検知されなかった場合には、ステップＳ１１２以降の処理を実行する。ステップＳ１１２以降の処理は後で詳細に説明する。
【手続補正８】
【補正対象書類名】図面
【補正対象項目名】図２
【補正方法】変更
【補正の内容】
【図２】
2011134272.tif 000001
【手続補正９】
【補正対象書類名】図面
【補正対象項目名】図８
【補正方法】変更
【補正の内容】
【図８】
2011134272.tif 000002